【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
屋外照明ネットワーク（ＯＬＮ）のための照明管理システムであって、
中央制御装置と、
複数の照明ユニット制御装置と、
前記中央制御装置及び前記照明ユニット制御装置を動作的に接続する通信システムと、
前記中央制御装置と通信すると共に、前記ＯＬＮの動作を表すＯＬＮポリシーを記憶する貯蔵部と、を有し、
前記中央制御装置は、
１以上の照明ユニット制御装置の動作を表すポリシーを受信し、
前記ポリシーを前記ＯＬＮポリシーに対する一貫性に関してチェックし、
前記ポリシーが前記ＯＬＮポリシーに対して一貫性を有する場合、前記中央制御装置は更に、
前記複数の照明ユニット制御装置の各々に関する属性及び構成コマンドを、前記ポリシーに従って決定し、
前記複数の照明ユニット制御装置の各々に関する前記属性及び構成コマンドを、前記複数の照明ユニット制御装置のうちの対応するものに伝達する、照明管理システム。
【請求項２】
前記ポリシーが前記ＯＬＮポリシーに対して一貫性を有する場合、前記中央制御装置は更に、
前記ＯＬＮポリシーを更新し、
前記更新されたＯＬＮポリシーを前記貯蔵部に伝達する、請求項１に記載のシステム。
【請求項３】
前記ポリシーが前記ＯＬＮポリシーに対して一貫性を有する場合、前記中央制御装置は更に、
操作者に、前記ＯＬＮポリシーが更新されたことを通知する、請求項２に記載のシステム。
【請求項４】
前記中央制御装置が、更に、既存のＯＬＮポリシーを記録保存する請求項２に記載のシステム。
【請求項５】
操作者が前記貯蔵部内の前記更新されたＯＬＮポリシーを手動で変更することができる請求項２に記載のシステム。
【請求項６】
前記ポリシーは初期ポリシーであり、
暫定的ポリシーが前記貯蔵部に前記ＯＬＮポリシーとして記憶され、
前記中央制御装置は、
前記初期ポリシーを受信し、
前記初期ポリシーを前記暫定的ポリシーに対する一貫性に関してチェックし、
前記初期ポリシーが前記暫定的ポリシーに対して一貫性を有する場合、前記中央制御装置は更に、
前記複数の照明ユニット制御装置の各々に関する属性及び構成コマンドを、前記初期ポリシーに従って決定し、
前記複数の照明ユニット制御装置の各々に関する前記属性及び構成コマンドを、前記複数の照明ユニット制御装置のうちの対応するものに伝達する、請求項１に記載の照明管理システム。
【請求項７】
前記初期ポリシーが、規制ポリシーサブセット、照明管理者ポリシーサブセット及び装置ポリシーサブセットを含む請求項４に記載のシステム。
【請求項８】
前記ポリシーが、規制ポリシーサブセット、照明管理者ポリシーサブセット及び装置ポリシーサブセットからなる群から選択されたポリシーサブセットに含まれる少なくとも１つのポリシーを有する変更ポリシーである請求項１に記載のシステム。
【請求項９】
前記ポリシーが前記ＯＬＮポリシーと矛楯する場合に、前記中央制御装置が現在のＯＬＮポリシーを維持する請求項１に記載のシステム。
【請求項１０】
前記中央制御装置が、更に、操作者に前記ＯＬＮポリシーが変更されなかったことを通知する請求項８に記載のシステム。
【請求項１１】
前記中央制御装置が、更に、前記ポリシーに前記現在のＯＬＮポリシーに対して一貫性を持たせるために、前記ポリシー及び前記ＯＬＮポリシーの少なくとも一方に対する修正を提案する請求項８に記載のシステム。
【請求項１２】
前記貯蔵部が前記複数の照明ユニット制御装置の各々に関する前記属性及び構成コマンドを更に記憶し、前記中央制御装置が、更に、前記複数の照明ユニット制御装置の各々に関する前記属性及び構成コマンドを前記貯蔵部に伝達する請求項１に記載のシステム。
【請求項１３】
前記ポリシーは前記複数の照明ユニット制御装置の１つにより発生された変更装置ポリシーであり、
前記中央制御装置は、
前記変更装置ポリシーを受信し、
前記変更装置ポリシーを前記ＯＬＮポリシーに対する一貫性に関してチェックし、
前記変更装置ポリシーが前記ＯＬＮポリシーに対して一貫性を有する場合、前記中央制御装置は更に、
前記複数の照明ユニット制御装置の前記１つに関する属性及び構成コマンドを、前記変更装置ポリシーに従って決定し、
前記複数の照明ユニット制御装置の前記１つに関する前記属性及び構成コマンドを、前記複数の照明ユニット制御装置の前記１つに伝達する、請求項１に記載の照明管理システム。
【請求項１４】
前記ポリシーはユーザにより発生された一時的ユーザポリシーであり、
前記中央制御装置は、
前記一時的ユーザポリシーをユーザ制御装置から受信し、
前記一時的ユーザポリシーを前記ＯＬＮポリシーに対する一貫性に関してチェックし、
前記一時的ユーザポリシーが前記ＯＬＮポリシーに対して一貫性を有する場合、前記中央制御装置は更に、
前記複数の照明ユニット制御装置の１つに関する属性及び構成コマンドを、前記一時的ユーザポリシーに従って決定し、
前記複数の照明ユニット制御装置の前記１つに関する前記属性及び構成コマンドを、前記複数の照明ユニット制御装置の前記１つに伝達し、
前記複数の照明ユニット制御装置の前記１つに対して、前記一時的ユーザポリシーを所定の時間にわたり有効に維持する、請求項１に記載の照明管理システム。
【請求項１５】
前記中央制御装置が更に、
前記貯蔵部から前記ＯＬＮポリシーを定期的に受信し、
前記ＯＬＮポリシーを内部的一貫性に関してチェックする、請求項１に記載のシステム。
【請求項１６】
ユーザが屋外照明ネットワーク（ＯＬＮ）の特定の特徴を制御することを可能にするユーザ制御装置であって、該装置が、
プロセッサと、
前記プロセッサに動作的に接続されたメモリと、
前記ユーザと前記屋外照明ネットワークとの間の通信のために前記プロセッサに動作的に接続された通信モジュールと、を有し、
前記プロセッサが、
ユーザ指向照明制御サービスの利用可能性を検出し、利用可能である場合、
１以上の照明ユニット制御装置の動作を表す一時的ユーザポリシーを発生し、
前記一時的ユーザポリシーを前記通信モジュールを介して前記屋外照明ネットワークに送信する、ユーザ制御装置。
【請求項１７】
屋外照明ネットワーク（ＯＬＮ）を管理するための中央制御装置であって、該装置が、
プロセッサと、
前記プロセッサに動作的に接続されたメモリと、
操作者と前記屋外照明ネットワークとの間の通信のために前記プロセッサに動作的に接続された通信モジュールと、を有し、
前記プロセッサは、
１以上の複数の照明ユニット制御装置の動作を表すポリシーを受信し、
該ポリシーを前記ＯＬＮの動作を表すＯＬＮポリシーに対する一貫性に関してチェックし、
前記ポリシーが前記ＯＬＮポリシーに対して一貫性を有する場合、前記プロセッサは更に、
複数の照明ユニット制御装置の各々に関する属性及び構成コマンドを、前記ポリシーに従って決定し、
前記複数の照明ユニット制御装置の各々に関する前記属性及び構成コマンドを、前記複数の照明ユニット制御装置のうちの対応するものに伝達する、中央制御装置。
【請求項１８】
前記ポリシーが前記ＯＬＮポリシーに対して一貫性を有する場合、前記プロセッサは更に、
前記ＯＬＮポリシーを更新し、
前記更新されたＯＬＮポリシーを貯蔵部に伝達する、請求項１６に記載の装置。
【請求項１９】
前記ポリシーが前記ＯＬＮポリシーに対して一貫性を有する場合、前記プロセッサは更に、
操作者に、前記ＯＬＮポリシーが更新されたことを通知する、請求項１７に記載の装置。
【請求項２０】
前記プロセッサが、更に、既存のＯＬＮポリシーを記録保存する請求項１７に記載の装置。
【請求項２１】
操作者が前記貯蔵部内の前記更新されたＯＬＮポリシーを手動で変更することができる請求項１７に記載の装置。
【請求項２２】
前記ポリシーは初期ポリシーであり、
暫定的ポリシーが前記ＯＬＮポリシーであり、
前記プロセッサは、
前記初期ポリシーを受信し、
前記初期ポリシーを前記暫定的ポリシーに対する一貫性に関してチェックし、
前記初期ポリシーが前記暫定的ポリシーに対して一貫性を有する場合、前記中央制御装置は更に、
前記複数の照明ユニット制御装置の各々に関する属性及び構成コマンドを、前記初期ポリシーに従って決定し、
前記複数の照明ユニット制御装置の各々に関する前記属性及び構成コマンドを、前記複数の照明ユニット制御装置のうちの対応するものに伝達する、請求項１６に記載の装置。
【請求項２３】
前記初期ポリシーが、規制ポリシーサブセット、照明管理者ポリシーサブセット及び装置ポリシーサブセットを含む請求項１９に記載の装置。
【請求項２４】
前記ポリシーが、規制ポリシーサブセット、照明管理者ポリシーサブセット及び装置ポリシーサブセットからなる群から選択されたポリシーサブセットに含まれる少なくとも１つのポリシーを有する変更ポリシーである請求項１６に記載の装置。
【請求項２５】
前記ポリシーが前記ＯＬＮポリシーと矛盾する場合に、前記プロセッサが現在のＯＬＮポリシーを維持する請求項１６に記載の装置。
【請求項２６】
前記プロセッサが、更に、操作者に前記ＯＬＮポリシーが変更されなかったことを通知する請求項２３に記載の装置。
【請求項２７】
前記プロセッサが、更に、前記ポリシーに前記ＯＬＮポリシーに対して一貫性を持たせるために、前記ポリシー及び前記ＯＬＮポリシーの少なくとも一方に対する修正を提案する請求項２３に記載の装置。
【請求項２８】
貯蔵部が前記複数の照明ユニット制御装置の各々に関する前記属性及び構成コマンドを更に記憶し、前記プロセッサが、更に、前記複数の照明ユニット制御装置の各々に関する前記属性及び構成コマンドを前記貯蔵部に伝達する請求項１６に記載の装置。
【請求項２９】
前記ポリシーは前記複数の照明ユニット制御装置の１つにより発生された変更装置ポリシーであり、
前記プロセッサは、
前記変更装置ポリシーを受信し、
前記変更装置ポリシーを前記ＯＬＮポリシーに対する一貫性に関してチェックし、
前記変更装置ポリシーが前記ＯＬＮポリシーに対して一貫性を有する場合、前記プロセッサは更に、
前記複数の照明ユニット制御装置の前記１つに関する属性及び構成コマンドを、前記変更装置ポリシーに従って決定し、
前記複数の照明ユニット制御装置の前記１つに関する前記属性及び構成コマンドを、前記複数の照明ユニット制御装置の前記１つに伝達する、請求項１６に記載の装置。
【請求項３０】
前記ポリシーはユーザにより発生された一時的ユーザポリシーであり、
前記プロセッサは、
前記一時的ユーザポリシーをユーザ制御装置から受信し、
前記一時的ユーザポリシーを前記ＯＬＮポリシーに対する一貫性に関してチェックし、
前記一時的ユーザポリシーが前記ＯＬＮポリシーに対して一貫性を有する場合、前記プロセッサは更に、
前記複数の照明ユニット制御装置の１つに関する属性及び構成コマンドを、前記一時的ユーザポリシーに従って決定し、
前記複数の照明ユニット制御装置の前記１つに関する前記属性及び構成コマンドを、前記複数の照明ユニット制御装置の前記１つに伝達し、
前記複数の照明ユニット制御装置の前記１つに対して、前記一時的ユーザポリシーを所定の時間にわたり有効に維持する、請求項１６に記載の装置。
【請求項３１】
前記プロセッサが更に、
貯蔵部から前記ＯＬＮポリシーを定期的に受信し、
前記ＯＬＮポリシーを内部的一貫性に関してチェックする、請求項１６に記載の装置。
【請求項３２】
前記プロセッサが更に、
変更装置ポリシーサブセットを発生し、
前記変更装置ポリシーサブセットを前記通信モジュールを介して前記屋外照明ネットワークに送信する、請求項３０に記載の装置。
【請求項３３】
前記変更装置ポリシーサブセットが、前記プロセッサに動作的に接続されたローカルセンサからの入力に応答して発生される請求項３１に記載の装置。